(57)【特許請求の範囲】
【請求項１】
複数の電子部品と、
前記複数の電子部品に対して所定の位置および方向に係止する係止部を有する複数のキャップと、
それぞれ前記キャップが係止された前記複数の電子部品を収容するための複数の窪み形状の電子部品収納部が配列形成されたエンボステープと
を備え、
前記電子部品は、前記エンボステープの電子部品収納部への挿入方向に沿った中心軸を有すると共に前記中心軸回りに１８０°のほぼ回転対称の外形を有し、
前記キャップは、前記電子部品に係止されたときに、前記エンボステープの電子部品収納部への前記電子部品の挿入方向に対して前記電子部品の輪郭をはみ出す１つの突起部を有し、前記エンボステープは、前記複数の電子部品収納部のそれぞれに対応して、前記電子部品に係止された前記キャップの前記突起部を収納する１つの窪み形状の突起収納部を有する、または、前記キャップは、前記電子部品に係止されたときに、互いに前記電子部品の前記中心軸回りに１８０°の回転対称性を有しない位置および１８０°の回転対称性を有しない形状の少なくともいずれかに形成され且つ前記エンボステープの電子部品収納部への前記電子部品の挿入方向に対して前記電子部品の輪郭をはみ出す複数の突起部を有し、前記エンボステープは、前記複数の電子部品収納部のそれぞれに対応して、前記電子部品に係止された前記キャップの前記複数の突起部を収納する複数の窪み形状の突起収納部を有し、
前記キャップの前記係止部は、前記エンボステープの電子部品収納部への挿入方向に沿った前記電子部品の前記中心軸回りに１８０°の回転対称性を有しない位置および１８０°の回転対称性を有しない形状の少なくともいずれかに形成され且つそれぞれ前記エンボステープの電子部品収納部への挿入方向に延びると共に先端に前記電子部品に係止するための爪を有する複数の係止部材を有し、
前記電子部品は、前記複数の係止部材の爪が係止される複数の凹部を有することを特徴とする電子部品包装帯。
【請求項２】
前記キャップは、前記エンボステープの電子部品収納部への挿入方向から見て平面状に拡がる吸着面を有する請求項１に記載の電子部品包装帯。
【請求項３】
前記キャップは、前記エンボステープの電子部品収納部への挿入方向から見て前記電子部品のほとんどの部分を覆っている請求項１または２に記載の電子部品包装帯。
【請求項４】
前記キャップの前記突起部は、前記複数の電子部品収納部の配列方向に突出している請求項１〜３のいずれか一項に記載の電子部品包装帯。
【請求項５】
前記キャップの前記突起部は、前記複数の電子部品収納部の配列方向とは直角方向に突出している請求項１〜３のいずれか一項に記載の電子部品包装帯。
【発明の詳細な説明】
【技術分野】
【０００１】
この発明は、電子部品包装帯に係り、特に、エンボステープに形成された複数の窪み形状の電子部品収納部にそれぞれ電子部品が収納された電子部品包装帯に関する。
【背景技術】
【０００２】
従来から、コネクタ等の各種の電子部品を回路基板等に自動実装する際には、複数の窪み形状の電子部品収納部が形成されたエンボステープを利用して電子部品の搬送が行われている。複数の電子部品収納部にそれぞれ電子部品が収納された状態でエンボステープが移動され、順次、電子部品収納部から電子部品が吸着等により取り出されて回路基板へ実装される。
このとき、実装時の向きを規定する必要がある電子部品については、全ての電子部品を同一方向に揃えてエンボステープの複数の電子部品収納部に収納しなければならない。例えば、極性を有する複数の端子が形成されたコネクタ、相手側コネクタと嵌合する際のキー構造が形成されたコネクタ等は、規定された向きと異なる向きで電子部品収納部に収納されると、正常な実装が困難になったり、実装後に相手側コネクタとの嵌合ができなくなってしまう。
【０００３】
そこで、例えば特許文献１には、図３２に示されるように、電子部品１の外形に合わせた非対称の形状の電子部品収納部２を形成することにより、規定された向きでしか電子部品１を収納することができないエンボステープ３が開示されている。電子部品１が、突出した端子４〜６を有するために、非対称な外形を有しており、この電子部品１の非対称な外形に合わせて、電子部品収納部２も非対称な形状を有している。
このようなエンボステープ３を用いれば、規定された向きと異なる向きで電子部品１を収納したために発生する不具合を未然に防止することができる。
【先行技術文献】
【特許文献】
【０００４】
【特許文献１】特開平５−６５１７１号公報
【発明の概要】
【発明が解決しようとする課題】
【０００５】
しかしながら、特許文献１に開示されたエンボステープ３では、非対称な外形の電子部品１に対しては、向きを規定した収納が可能であるものの、電子部品がほぼ対称な外形を有する場合には、電子部品収納部２を非対称な形状としても、電子部品の向きを規定することは困難である。
ほぼ対称な外形を有する電子部品に対しては、外形が非対称となるように、本来不要である凸部等を電子部品の外側部に形成して、規定外の向きの収納ができなくなるようにしたり、あるいは、画像装置、目視等により電子部品の収納の向きを確認する必要があった。このため、電子部品の外形が不要に大きくなったり、電子部品の収納向きに関する検査工程を要する、という問題があった。
【０００６】
この発明は、このような従来の問題点を解消するためになされたもので、対称な外形を有する電子部品に対しても、向きを規定して収納することができる電子部品包装帯を提供することを目的とする。
【課題を解決するための手段】
【０００７】
この発明に係る電子部品包装帯は、複数の電子部品と、複数の電子部品に対して所定の位置および方向に係止する係止部を有する複数のキャップと、それぞれキャップが係止された複数の電子部品を収容するための複数の窪み形状の電子部品収納部が配列形成されたエンボステープとを備え、電子部品は、エンボステープの電子部品収納部への挿入方向に沿った中心軸を有すると共に中心軸回りに１８０°のほぼ回転対称の外形を有し、キャップは、電子部品に係止されたときに、エンボステープの電子部品収納部への電子部品の挿入方向に対して電子部品の輪郭をはみ出す１つの突起部を有し、エンボステープは、複数の電子部品収納部のそれぞれに対応して、電子部品に係止されたキャップの突起部を収納する１つの窪み形状の突起収納部を有する、または、キャップは、電子部品に係止されたときに、互いに電子部品の中心軸回りに１８０°の回転対称性を有しない位置および１８０°の回転対称性を有しない形状の少なくともいずれかに形成され且つエンボステープの電子部品収納部への電子部品の挿入方向に対して電子部品の輪郭をはみ出す複数の突起部を有し、エンボステープは、複数の電子部品収納部のそれぞれに対応して、電子部品に係止されたキャップの複数の突起部を収納する複数の窪み形状の突起収納部を有し、キャップの係止部は、エンボステープの電子部品収納部への挿入方向に沿った電子部品の中心軸回りに１８０°の回転対称性を有しない位置および１８０°の回転対称性を有しない形状の少なくともいずれかに形成され且つそれぞれエンボステープの電子部品収納部への挿入方向に延びると共に先端に電子部品に係止するための爪を有する複数の係止部材を有し、電子部品は、複数の係止部材の爪が係止される複数の凹部を有するものである。
【０００８】
キャップは、エンボステープの電子部品収納部への挿入方向から見て平面状に拡がる吸着面を有することができる。
また、キャップは、エンボステープの電子部品収納部への挿入方向から見て電子部品のほとんどの部分を覆うように構成することもできる。
【０００９】
キャップの突起部は、複数の電子部品収納部の配列方向に突出してもよく、あるいは、複数の電子部品収納部の配列方向とは直角方向に突出してもよい。
【発明の効果】
【００１０】
この発明によれば、電子部品に対して所定の位置および方向に係止する係止部を有するキャップが、エンボステープの電子部品収納部への挿入方向に対して電子部品の中心軸回りに非対称な位置および非対称な形状の少なくともいずれかに形成され且つ電子部品の輪郭をはみ出す少なくとも１つの突起部を有し、エンボステープは、複数の電子部品にそれぞれ係止されたキャップの突起部を収納する複数の窪み形状の突起収納部を有しているので、対称な外形を有する電子部品に対しても、向きを規定して収納することが可能となる。
【図面の簡単な説明】
【００１１】
【図１】この発明の実施の形態１に係る電子部品包装帯を示し、（Ａ）は平面図、（Ｂ）は斜視図である。
【図２】実施の形態１で用いられたエンボステープを示し、（Ａ）は平面図、（Ｂ）は正面図、（Ｃ）は斜視図である。
【図３】図２（Ａ）のＡ−Ａ線断面図である。
【図４】実施の形態１で用いられた電子部品を示し、（Ａ）は平面図、（Ｂ）は正面図、（Ｃ）は背面図、（Ｄ）は側面図、（Ｅ）は斜視図である。
【図５】実施の形態１で用いられたキャップを示し、（Ａ）は平面図、（Ｂ）は正面図、（Ｃ）は側面図、（Ｄ）は底面図、（Ｅ）は斜視図である。
【図６】実施の形態１におけるキャップが係止された電子部品を示し、（Ａ）は平面図、（Ｂ）は正面図、（Ｃ）は側面図、（Ｄ）は斜視図である。
【図７】実施の形態１においてキャップが係止された電子部品を規定された向きでエンボステープの電子部品収納部に挿入する様子を示し、（Ａ）は挿入前、（Ｂ）は挿入後を示す断面図である。
【図８】実施の形態１においてキャップが係止された電子部品を規定された向きとは異なる向きでエンボステープの電子部品収納部に挿入した状態を示す断面図である。
【図９】実施の形態２に係る電子部品包装帯を示し、（Ａ）は平面図、（Ｂ）は斜視図である。
【図１０】実施の形態２で用いられたエンボステープを示し、（Ａ）は平面図、（Ｂ）は斜視図である。
【図１１】実施の形態２で用いられたキャップを示し、（Ａ）は平面図、（Ｂ）は正面図、（Ｃ）は側面図、（Ｄ）は斜視図である。
【図１２】実施の形態２におけるキャップが係止された電子部品を示し、（Ａ）は平面図、（Ｂ）は斜視図である。
【図１３】実施の形態３に係る電子部品包装帯を示し、（Ａ）は平面図、（Ｂ）は斜視図である。
【図１４】実施の形態３で用いられたエンボステープを示し、（Ａ）は平面図、（Ｂ）は斜視図である。
【図１５】実施の形態３で用いられたキャップを示し、（Ａ）は平面図、（Ｂ）は正面図、（Ｃ）は側面図、（Ｄ）は斜視図である。
【図１６】実施の形態３におけるキャップが係止された電子部品を示し、（Ａ）は平面図、（Ｂ）は斜視図である。
【図１７】実施の形態４に係る電子部品包装帯を示し、（Ａ）は平面図、（Ｂ）は斜視図である。
【図１８】実施の形態４で用いられたエンボステープを示し、（Ａ）は平面図、（Ｂ）は斜視図である。
【図１９】実施の形態４で用いられたキャップを示し、（Ａ）は平面図、（Ｂ）は正面図、（Ｃ）は側面図、（Ｄ）は斜視図である。
【図２０】実施の形態４におけるキャップが係止された電子部品を示し、（Ａ）は平面図、（Ｂ）は斜視図である。
【図２１】実施の形態５に係る電子部品包装帯を示し、（Ａ）は平面図、（Ｂ）は斜視図である。
【図２２】実施の形態５で用いられたエンボステープを示し、（Ａ）は平面図、（Ｂ）は斜視図である。
【図２３】実施の形態５で用いられたキャップを示し、（Ａ）は平面図、（Ｂ）は正面図、（Ｃ）は側面図、（Ｄ）は斜視図である。
【図２４】実施の形態５におけるキャップが係止された電子部品を示し、（Ａ）は平面図、（Ｂ）は斜視図である。
【図２５】実施の形態６に係る電子部品包装帯を示し、（Ａ）は平面図、（Ｂ）は斜視図である。
【図２６】実施の形態６で用いられたエンボステープを示し、（Ａ）は平面図、（Ｂ）は正面図、（Ｃ）は斜視図である。
【図２７】図２６（Ａ）のＢ−Ｂ線断面図である。
【図２８】実施の形態６で用いられたキャップを示し、（Ａ）は平面図、（Ｂ）は正面図、（Ｃ）は側面図、（Ｄ）は斜め上方から見た斜視図、（Ｅ）は斜め下方から見た斜視図である。
【図２９】実施の形態６におけるキャップが係止された電子部品を示し、（Ａ）は平面図、（Ｂ）は正面図、（Ｃ）は側面図、（Ｄ）は斜視図である。
【図３０】実施の形態６においてキャップが係止された電子部品を規定された向きでエンボステープの電子部品収納部に挿入する様子を示し、（Ａ）は挿入前、（Ｂ）は挿入後を示す断面図である。
【図３１】実施の形態６においてキャップが係止された電子部品を規定された向きとは異なる向きでエンボステープの電子部品収納部に挿入する様子を示し、（Ａ）は挿入前、（Ｂ）は挿入後を示す断面図である。
【図３２】従来のエンボステープを示す平面図である。
【発明を実施するための形態】
【００１２】
以下、この発明の実施の形態を添付図面に基づいて説明する。
実施の形態１
図１（Ａ）および（Ｂ）に、この発明の実施の形態１に係る電子部品包装帯の構成を示す。電子部品包装帯は、エンボステープ１１と、エンボステープ１１に梱包された複数の電子部品１２と、複数の電子部品１２にそれぞれ係止された複数のキャップ１３を備えている。この実施の形態１においては、電子部品１２として、多数の端子を有するコネクタが用いられている。
【００１３】
エンボステープ１１は、図２（Ａ）〜（Ｃ）に示されるように、エンボステープ１１の長さ方向に沿って配列形成された複数の同一形状の電子部品収納部１４を有している。それぞれの電子部品収納部１４は、キャップ１３が係止された電子部品１２が図示しない回路基板上に実装される際の姿勢を保ったまま挿入されて、エンボステープ１１の表面から上方に突出しないように、電子部品１２の全体が収納されるだけの幅Ｗ１と奥行きＤ１と深さＨ１を有する窪み形状に形成されている。
また、エンボステープ１１の上方から見て、電子部品収納部１４の４隅には、電子部品収納部１４の深さ方向に延びると共に電子部品収納部１４の内部に向かって突出する角部１４ａが形成されている。
それぞれの電子部品収納部１４に隣接して、エンボステープ１１の表面部近傍に、窪み形状の突起収納部１５が形成されている。突起収納部１５は、対応する電子部品収納部１４の幅方向の中心部に位置すると共に、電子部品収納部１４の奥行き方向、すなわち、複数の電子部品収納部１４の配列方向に対して一方の側にのみ形成されており、幅Ｗ２と奥行きＤ２と深さＨ２を有している。図３に示されるように、突起収納部１５の内部は、電子部品収納部１４の内部に連通している。
【００１４】
電子部品１２を構成するコネクタは、図４（Ａ）〜（Ｅ）に示されるように、扁平なほぼ角筒形状の対称（１８０°の回転対称）の外形を有するハウジング１６と、ハウジング１６の内部に配置された多数の内部端子１７と、ハウジング１６の下端からハウジング１６の正面部１６ａおよび背面部１６ｂに対してほぼ垂直方向に引き出された多数の外部端子１８を有している。ハウジング１６の正面部１６ａには、幅Ｗ３の細長い凹部１９ａが形成され、ハウジング１６の背面部１６ｂには、正面部１６ａの凹部１９ａより大きい幅Ｗ４の細長い凹部１９ｂが形成されている。
【００１５】
図５（Ａ）〜（Ｅ）に示されるように、キャップ１３は、矩形の平板形状を有するキャップ本体２０を有している。キャップ本体２０の上面２０ａは、平坦であり、図１（Ａ）および（Ｂ）のように、キャップ１３が係止された電子部品１２をエンボステープ１１の電子部品収納部１４に収納したときに、キャップ本体２０の上面２０ａが、電子部品収納部１４への挿入方向から見て平面状に拡がり、電子部品１２の実装時に吸着面として機能する。キャップ本体２０の下面２０ｂには、この下面２０ｂに対して垂直方向に延びると共に互いに平行な一対の係止部材２１ａおよび２１ｂが突出形成されている。これらの係止部材２１ａおよび２１ｂは、電子部品１２のハウジング１６の奥行き、すなわち、厚さに対応する間隔で互いに離間している。
【００１６】
一方の係止部材２１ａが、キャップ本体２０の中央部付近に位置するのに対して、他方の係止部材２１ｂは、キャップ本体２０の外縁部付近に配置されている。これにより、一方の係止部材２１ａに関して、他方の係止部材２１ｂとは反対側にキャップ本体２０の領域が拡がっており、この領域がこの発明の突起部２２を形成している。
また、一方の係止部材２１ａの幅は、ハウジング１６の正面部１６ａに形成された凹部１９ａの幅Ｗ３よりわずかに短く形成されており、他方の係止部材２１ｂの幅は、一方の係止部材２１ａの幅より大きく、ハウジング１６の背面部１６ｂに形成された凹部１９ｂの幅Ｗ４よりわずかに短く形成されている。
【００１７】
さらに、これらの係止部材２１ａおよび２１ｂの先端には、互いに対向するように、爪２３ａおよび２３ｂがそれぞれ形成されている。キャップ本体２０から爪２３ａおよび２３ｂまでの距離は、電子部品１２におけるハウジング１６の上端から凹部１９ａおよび凹部１９ｂまでの距離と等しくなるように予め設定されている。
なお、このキャップ１３は、モールド成形された樹脂から形成することができ、弾性を有している。
【００１８】
このようなキャップ１３の一対の係止部材２１ａおよび２１ｂの間に電子部品１２のハウジング１６を挿入すると、図６（Ａ）〜（Ｄ）に示されるように、キャップ１３の一方の係止部材２１ａの爪２３ａが電子部品１２のハウジング１６の正面部１６ａに形成されている凹部１９ａに係止され、キャップ１３の他方の係止部材２１ｂの爪２３ｂが電子部品１２のハウジング１６の背面部１６ｂに形成されている凹部１９ｂに係止されることで、キャップ１３が電子部品１２に係止される。
このとき、キャップ１３の突起部２２が、電子部品１２のハウジング１６の正面部１６ａ側にはみ出して突出することとなる。
【００１９】
なお、キャップ１３の係止部材２１ａおよび２１ｂが、それぞれ電子部品１２のハウジング１６の凹部１９ａおよび１９ｂに対応した幅を有しているので、キャップ１３の一方の係止部材２１ａが電子部品１２のハウジング１６の背面部１６ｂ側に位置し、他方の係止部材２１ｂが電子部品１２のハウジング１６の正面部１６ａ側に位置するように、図６とは逆方向を向けてキャップ１３を電子部品１２に押しつけても、キャップ１３を係止させることはできないように構成されている。従って、キャップ１３の突起部２２は、常に、電子部品１２のハウジング１６の正面部１６ａ側に突出し、背面部１６ｂ側に突出することはない。
【００２０】
このようにしてキャップ１３が係止された電子部品１２が、図７（Ａ）に示されるように、エンボステープ１１の電子部品収納部１４に挿入される。これにより、図７（Ｂ）に示されるように、電子部品１２は、電子部品収納部１４に収納され、電子部品収納部１４への挿入方向に対して電子部品１２の輪郭をはみ出しているキャップ１３の突起部２２は、電子部品収納部１４に連通する突起収納部１５に収納される。
このとき、図１（Ａ）に示されるように、電子部品１２の挿入方向から見て、電子部品収納部１４の４隅に形成されている角部１４ａが電子部品１２のハウジング１６に当接することで、電子部品１２が電子部品収納部１４内に保持され、ハウジング１６の下端から引き出されている多数の外部端子１８は、電子部品収納部１４の内壁に当接することなく、電子部品収納部１４内に収納される。
【００２１】
ここで、キャップ１３が係止された電子部品１２を図７（Ａ）における向きとは反対方向を向けてエンボステープ１１の電子部品収納部１４に挿入しようとすると、電子部品１２は、ハウジング１６がほぼ角筒形状の対称の外形を有しているので、電子部品収納部１４内に収納することができるが、キャップ１３の突起部２２は、電子部品１２に対してハウジング１６の正面部１６ａ側にのみ突出しているため、図８に示されるように、突起部２２がエンボステープ１１の突起収納部１５に収納されることなく、突起収納部１５とは反対側に飛び出てしまう。これにより、キャップ１３が係止された電子部品１２が、規定された向きとは反対向きに誤ってエンボステープ１１に収納されることが防止される。
【００２２】
このように、電子部品１２のハウジング１６に形成された凹部１９ａおよび１９ｂにそれぞれキャップ１３の係止部材２１ａの爪２３ａおよび係止部材２１ｂの爪２３ｂを係止させてキャップ１３を電子部品１２に係止し、キャップ１３が係止された電子部品１２をエンボステープ１１の電子部品収納部１４に収納しつつ、電子部品収納部１４への挿入方向に対して電子部品１２の中心軸回りに非対称な位置に形成されたキャップ１３の突起部２２を突起収納部１５に収納することで、対称の外形を有する電子部品１２を規定された向きでのみエンボステープ１１に収納することが可能となる。
【００２３】
なお、図１（Ａ）および（Ｂ）に示されるように、キャップ１３が係止された電子部品１２を収納した後、エンボステープ１１の表面上に、例えば透明な肉薄のシートが張り付けられ、それぞれの電子部品収納部１４内に電子部品１２が密閉される。これにより、エンボステープ１１からの電子部品１２の脱落防止および電子部品１２に対する塵埃からの保護がなされる。
そして、電子部品１２の実装時には、エンボステープ１１の表面からシートを剥離しながら、エンボステープ１１を移動し、電子部品収納部１４への挿入方向から見て平面状に拡がっているキャップ１３のキャップ本体２０の上面２０ａを吸着面として電子部品収納部１４からキャップ１３と電子部品１２が取り出され、電子部品１２の外部端子１８が回路基板の配線パターンにはんだ付け等により接続される。このようにして、電子部品１２が回路基板に実装された後、電子部品１２からキャップ１３が取り外される。
【００２４】
実施の形態２
図９（Ａ）および（Ｂ）に、実施の形態２に係る電子部品包装帯の構成を示す。電子部品包装帯は、エンボステープ１１と、エンボステープ１１に梱包された複数の電子部品１２と、複数の電子部品１２にそれぞれ係止された複数のキャップ３３を備えている。すなわち、この実施の形態２は、上述した実施の形態１の電子部品包装帯において、キャップ１３の代わりにキャップ３３を用いたものである。
【００２５】
エンボステープ１１は、図１０（Ａ）および（Ｂ）に示されるように、実施の形態１で用いられたものと同一のエンボステープであり、複数の電子部品収納部１４と、それぞれの電子部品収納部１４に連通する複数の突起収納部１５を有している。
【００２６】
図１１（Ａ）〜（Ｄ）に示されるように、キャップ３３は、実施の形態１で用いられたキャップ１３のキャップ本体２０よりも幅広いキャップ本体４０を有しており、このキャップ本体４０の下面に一対の係止部材２１ａおよび２１ｂが突出形成されると共にキャップ本体４０の幅方向に延びる側部の中央にキャップ本体４０の幅方向に対して直角方向に突出する突起部２２が形成されている。これら係止部材２１ａおよび２１ｂと突起部２２は、それぞれ実施の形態１で用いられたものと同一である。
【００２７】
このようなキャップ３３の一対の係止部材２１ａおよび２１ｂの間に電子部品１２を係止すると、図１２（Ａ）および（Ｂ）に示されるように、キャップ３３のキャップ本体４０により電子部品１２の上部のほとんどの部分が覆われる。このため、電子部品１２の内部、特に内部端子１７が塵埃から保護されることとなる。
このとき、キャップ３３の突起部２２が、電子部品１２のハウジング１６の正面部１６ａ側にはみ出して突出している。
【００２８】
このようにしてキャップ３３が係止された電子部品１２が、エンボステープ１１の電子部品収納部１４に挿入されると、電子部品１２は、電子部品収納部１４に収納され、電子部品収納部１４への挿入方向に対して電子部品１２の輪郭をはみ出しているキャップ３３の突起部２２は、電子部品収納部１４に連通する突起収納部１５に収納される。
この実施の形態２によれば、キャップ３３により電子部品１２の内部を塵埃から保護しつつ、対称の外形を有する電子部品１２を規定された向きでのみエンボステープ１１に収納することが可能となる。なお、実施の形態１におけるキャップ１３と同様に、キャップ３３のキャップ本体４０の上面を吸着面として利用し、電子部品収納部１４からキャップ３３と電子部品１２を取り出すこともできる。
【００２９】
実施の形態３
図１３（Ａ）および（Ｂ）に、実施の形態３に係る電子部品包装帯の構成を示す。電子部品包装帯は、エンボステープ４１と、エンボステープ４１に梱包された複数の電子部品１２と、複数の電子部品１２にそれぞれ係止された複数のキャップ４３を備えている。
【００３０】
エンボステープ４１は、図１４（Ａ）および（Ｂ）に示されるように、エンボステープ４１の長さ方向に沿って配列形成された複数の電子部品収納部１４を有しており、それぞれの電子部品収納部１４の幅方向に延びる側部の一端側に、電子部品収納部１４の配列方向に突出すると共に電子部品収納部１４に連通する窪み形状の突起収納部４５が形成されている。
【００３１】
図１５（Ａ）〜（Ｄ）に示されるように、キャップ４３は、実施の形態２で用いられたキャップ３３において、キャップ本体４０の側部の中央に突起部２２を形成する代わりに、キャップ本体４０の幅方向に延びる側部の一端側にキャップ本体４０の幅方向に対して直角方向に突出する突起部４４を形成したものである。この突起部４４も、キャップ本体４０の側部の一箇所にのみ突出形成されており、エンボステープ４１の電子部品収納部１４への挿入方向に対して電子部品１２の中心軸回りに非対称な位置に形成されている。
また、キャップ本体４０の下面には、一対の係止部材２１ａおよび２１ｂが突出形成されている。
【００３２】
このようなキャップ４３の一対の係止部材２１ａおよび２１ｂの間に電子部品１２を係止すると、図１６（Ａ）および（Ｂ）に示されるように、キャップ４３のキャップ本体４０により電子部品１２の上部のほとんどの部分が覆われ、突起部４４が、電子部品１２のハウジング１６の正面部１６ａ側で且つハウジング１６の幅方向の一端側に片寄った位置にはみ出して突出している。
【００３３】
このようにしてキャップ４３が係止された電子部品１２が、エンボステープ４１の電子部品収納部１４に挿入されると、電子部品１２は、電子部品収納部１４に収納され、電子部品収納部１４への挿入方向に対して電子部品１２の輪郭をはみ出しているキャップ４３の突起部４４は、電子部品収納部１４に連通する突起収納部４５に収納される。
この実施の形態３によっても、キャップ４３により電子部品１２の内部を塵埃から保護しつつ、対称の外形を有する電子部品１２を規定された向きでのみエンボステープ４１に収納することが可能となる。
【００３４】
実施の形態４
図１７（Ａ）および（Ｂ）に、実施の形態４に係る電子部品包装帯の構成を示す。電子部品包装帯は、エンボステープ５１と、エンボステープ５１に梱包された複数の電子部品１２と、複数の電子部品１２にそれぞれ係止された複数のキャップ５３を備えている。
【００３５】
エンボステープ５１は、図１８（Ａ）および（Ｂ）に示されるように、エンボステープ５１の長さ方向に沿って配列形成された複数の電子部品収納部１４を有しており、それぞれの電子部品収納部１４の幅方向の一端部に、電子部品収納部１４の配列方向とは直角方向に突出すると共に電子部品収納部１４に連通する窪み形状の突起収納部５５が形成されている。
【００３６】
図１９（Ａ）〜（Ｄ）に示されるように、キャップ５３は、実施の形態２で用いられたキャップ３３において、キャップ本体４０の幅方向に延びる側部の中央に突起部２２を形成する代わりに、キャップ本体４０の幅方向の一端部にキャップ本体４０の幅方向に突出する突起部５４を形成したものである。この突起部５４も、キャップ本体４０の端部の一箇所にのみ突出形成されており、エンボステープ５１の電子部品収納部１４への挿入方向に対して電子部品１２の中心軸回りに非対称な位置に形成されている。
また、キャップ本体４０の下面には、一対の係止部材２１ａおよび２１ｂが突出形成されている。
【００３７】
このようなキャップ５３の一対の係止部材２１ａおよび２１ｂの間に電子部品１２を係止すると、図２０（Ａ）および（Ｂ）に示されるように、キャップ５３のキャップ本体４０により電子部品１２の上部のほとんどの部分が覆われ、突起部５４が、電子部品１２のハウジング１６の幅方向の一端側にはみ出して突出している。
【００３８】
このようにしてキャップ５３が係止された電子部品１２が、エンボステープ５１の電子部品収納部１４に挿入されると、電子部品１２は、電子部品収納部１４に収納され、電子部品収納部１４への挿入方向に対して電子部品１２の輪郭をはみ出しているキャップ５３の突起部５４は、電子部品収納部１４に連通する突起収納部５５に収納される。
この実施の形態４によっても、キャップ５３により電子部品１２の内部を塵埃から保護しつつ、対称の外形を有する電子部品１２を規定された向きでのみエンボステープ５１に収納することが可能となる。
【００３９】
実施の形態５
図２１（Ａ）および（Ｂ）に、実施の形態５に係る電子部品包装帯の構成を示す。電子部品包装帯は、エンボステープ６１と、エンボステープ６１に梱包された複数の電子部品１２と、複数の電子部品１２にそれぞれ係止された複数のキャップ６３を備えている。
【００４０】
エンボステープ６１は、図２２（Ａ）および（Ｂ）に示されるように、エンボステープ６１の長さ方向に沿って配列形成された複数の電子部品収納部１４を有しており、それぞれの電子部品収納部１４の幅方向に延びる一方の側部の中央に、電子部品収納部１４の配列方向に突出する窪み形状の突起収納部６５ａが形成されると共に、それぞれの電子部品収納部１４の幅方向に延びる他方の側部の中央に、電子部品収納部１４の配列方向に突出する窪み形状の一対の突起収納部６５ｂおよび６５ｃが所定の距離だけ隔てて形成されている。これらの突起収納部６５ａ〜６５ｃは、いずれも電子部品収納部１４に連通している。
【００４１】
図２３（Ａ）〜（Ｄ）に示されるように、キャップ６３は、実施の形態２で用いられたキャップ３３において、キャップ本体４０の一側部の中央に突起部２２を形成する代わりに、キャップ本体４０の幅方向に延びる一方の側部の中央にキャップ本体４０の幅方向に対して直角方向に突出する突起部６４ａを形成すると共にキャップ本体４０の幅方向に延びる他方の側部の中央にキャップ本体４０の幅方向に対して直角方向に突出する一対の突起部６４ｂおよび６４ｃを互いに離間させて形成したものである。これら突起部６４ａ〜６４ｃは、エンボステープ６１の電子部品収納部１４への挿入方向に対して電子部品１２の中心軸回りに非対称な位置に形成されている。
また、キャップ本体４０の下面には、一対の係止部材２１ａおよび２１ｂが突出形成されている。
【００４２】
このようなキャップ６３の一対の係止部材２１ａおよび２１ｂの間に電子部品１２を係止すると、図２４（Ａ）および（Ｂ）に示されるように、キャップ６３のキャップ本体４０により電子部品１２の上部のほとんどの部分が覆われ、突起部６４ａが、電子部品１２のハウジング１６の正面部１６ａ側で且つハウジング１６の幅方向の中央部にはみ出して突出すると共に、突起部６４ｂおよび６４ｃが、電子部品１２のハウジング１６の背面部１６ｂ側で且つハウジング１６の幅方向の中央部に互いに離間した状態ではみ出して突出している。
【００４３】
このようにしてキャップ６３が係止された電子部品１２が、エンボステープ６１の電子部品収納部１４に挿入されると、電子部品１２は、電子部品収納部１４に収納され、電子部品収納部１４への挿入方向に対して電子部品１２の輪郭をはみ出しているキャップ６３の突起部６４ａ〜６４ｃは、それぞれ電子部品収納部１４に連通する突起収納部６５ａ〜６５ｃに収納される。
この実施の形態５のように、キャップ６３の複数の突起部６４ａ〜６４ｃをエンボステープ６１の複数の突起収納部６５ａ〜６５ｃに収納させても、対称の外形を有する電子部品１２を規定された向きでのみエンボステープ６１に収納することが可能となる。
【００４４】
実施の形態６
上記の実施の形態１〜５では、キャップ１３、３３、４３、５３および６３の突起部２２、４４、５４および６４ａ〜６４ｃが、エンボステープ１１、３１、４１、５１および６１の電子部品収納部１４への挿入方向に対して電子部品１２の中心軸回りに非対称な位置に形成されていたが、これに限るものではなく、突起部が電子部品１２の中心軸回りに対称な位置に形成されていても、非対称な形状を有していれば、電子部品１２を収納する向きを規定することができる。
【００４５】
図２５（Ａ）および（Ｂ）に、実施の形態６に係る電子部品包装帯の構成を示す。電子部品包装帯は、エンボステープ７１と、エンボステープ７１に梱包された複数の電子部品１２と、複数の電子部品１２にそれぞれ係止された複数のキャップ７３を備えている。
【００４６】
エンボステープ７１は、図２６（Ａ）〜（Ｃ）に示されるように、エンボステープ７１の長さ方向に沿って配列形成された複数の電子部品収納部１４を有しており、それぞれの電子部品収納部１４の幅方向に延びる一方の側部の中央に、電子部品収納部１４の配列方向に突出する窪み形状の突起収納部７５ａが形成されると共に、それぞれの電子部品収納部１４の幅方向に延びる他方の側部の中央に、電子部品収納部１４の配列方向に突出する窪み形状の突起収納部７５ｂが形成されている。これらの突起収納部７５ａおよび７５ｂは、いずれも電子部品収納部１４に連通しており、互いに同一の平面形状を有している。
ただし、図２７に示されるように、一方の突起収納部７５ａは、他方の突起収納部７５ｂより大きな深さを有している。
【００４７】
図２８（Ａ）〜（Ｅ）に示されるように、キャップ７３は、実施の形態２で用いられたキャップ３３において、キャップ本体４０の一側部の中央に突起部２２を形成する代わりに、キャップ本体４０の幅方向に延びる一方の側部の中央にキャップ本体４０の幅方向に対して直角方向に突出する突起部７４ａを形成すると共にキャップ本体４０の幅方向に延びる他方の側部の中央にもキャップ本体４０の幅方向に対して直角方向に突出する突起部７４ｂを形成したものである。一方の突起部７４ａは、その先端がキャップ本体４０の下面側に突出することによりキャップ本体４０の厚さより大きな高さを有しており、他方の突起部７４ｂは、キャップ本体４０と同一の厚さを有している。これら突起部７４ａおよび７４ｂは、エンボステープ７１の電子部品収納部１４への挿入方向に対して電子部品１２の中心軸回りに対称な位置に配置されているが、電子部品１２の中心軸回りに非対称な形状を有している。
また、キャップ本体４０の下面には、一対の係止部材２１ａおよび２１ｂが突出形成されている。
【００４８】
このようなキャップ７３の一対の係止部材２１ａおよび２１ｂの間に電子部品１２を係止すると、図２９（Ａ）〜（Ｄ）に示されるように、キャップ７３のキャップ本体４０により電子部品１２の上部のほとんどの部分が覆われ、一方の突起部７４ａが、電子部品１２のハウジング１６の正面部１６ａ側で且つハウジング１６の幅方向の中央部にはみ出して突出すると共に、他方の突起部７４ｂが、電子部品１２のハウジング１６の背面部１６ｂ側で且つハウジング１６の幅方向の中央部にはみ出して突出している。
【００４９】
このようにしてキャップ７３が係止された電子部品１２が、図３０（Ａ）に示されるように、エンボステープ７１の電子部品収納部１４に挿入される。これにより、図３０（Ｂ）に示されるように、電子部品１２は、電子部品収納部１４に収納され、電子部品収納部１４への挿入方向に対して電子部品１２の輪郭をはみ出しているキャップ７３の一方の突起部７４ａは、電子部品収納部１４に連通する一方の突起収納部７５ａに収納され、キャップ７３の他方の突起部７４ｂは、電子部品収納部１４に連通する他方の突起収納部７５ｂに収納される。
【００５０】
ここで、図３１（Ａ）に示されるように、キャップ７３が係止された電子部品１２を図３０（Ａ）における向きとは反対方向を向けてエンボステープ７１の電子部品収納部１４に挿入しようとすると、電子部品１２は、ハウジング１６がほぼ対称の外形を有しているので、電子部品収納部１４内に収納することができるが、キャップ７３の双方の突起部７４ａおよび７４ｂが互いに異なる高さを有すると共にエンボステープ７１の双方の突起収納部７５ａおよび７５ｂが互いに異なる深さを有しているため、図３１（Ｂ）に示されるように、大きな高さを有するキャップ７３の突起部７４ａを浅い突起収納部７５ｂに収納し切れず、キャップ７３がエンボステープ７１の表面上に飛び出てしまう。これにより、キャップ７３が係止された電子部品１２が、規定された向きとは反対向きに誤ってエンボステープ７１に収納されることが防止される。
【００５１】
このように、電子部品収納部１４への挿入方向に対して電子部品１２の中心軸回りに対称な位置に配置されながらも、電子部品１２の中心軸回りに非対称な形状を有する突起部７４ａおよび７４ｂを用いても、ほぼ対称の外形を有する電子部品１２を規定された向きでのみエンボステープ７１に収納することが可能となる。
【００５２】
上記の実施の形態１〜６では、電子部品１２のハウジング１６に形成された、互いに幅の異なる凹部１９ａおよび１９ｂにそれぞれキャップの互いに幅の異なる係止部材２１ａおよび２１ｂの爪２３ａおよび２３ｂを係止させることにより、電子部品１２に対して所定の位置および方向にキャップを係止したが、これに限るものではない。例えば、キャップに３つ以上の係止部材を突出形成し、これらの係止部材の爪を、電子部品のハウジングに形成された３つ以上の凹部に係止してもよい。
【００５３】
また、係止部材の爪を電子部品のハウジングの凹部に係止させる代わりに、電子部品のハウジングの上部内側の構造を利用して、電子部品収納部への挿入方向に対して電子部品の中心軸回りに非対称な外形を有するキャップを電子部品のハウジングの上部内側に嵌入させてもよい。電子部品のハウジングの上部外側部分が、電子部品収納部への挿入方向に対して電子部品の中心軸回りに非対称な形状を有する場合には、このハウジングの上部外側部分に対応する凹部が形成されたキャップを電子部品のハウジングの上部外側に嵌め込むようにしてもよい。このようにしても、キャップを予め決められた向きで電子部品１２に係止することができる。
なお、上記の実施の形態１〜６においては、キャップが、吸着に適した平面部を有していたが、吸着の代わりにチャックによって電子部品収納部からの摘まみ上げを行うための突出部を有していてもよい。
【００５４】
上記の実施の形態１〜６のそれぞれでは、電子部品１２としてコネクタを用いたが、これに限るものではなく、各種の電子部品を使用することができる。特に、この発明は、ほぼ対称の外形を有しながらも、極性を有する複数の端子が形成されている、あるいは、細部が非対称形状を有する等のために、実装時の向きを規定する必要がある電子部品に対して、有用なものである。
【符号の説明】
【００５５】
１  電子部品、２  電子部品収納部、３  エンボステープ、４〜６  端子、１１，４１，５１，６１，７１  エンボステープ、１２  電子部品、１３，３３，４３，５３，６３，７３  キャップ、１４  電子部品収納部、１４ａ  角部、１５，４５，５５，６５ａ，６５ｂ，６５ｃ，７５ａ，７５ｂ  突起収納部、１６  ハウジング、１６ａ  正面部、１６ｂ  背面部、１７  内部端子、１８  外部端子、１９ａ，１９ｂ  凹部、２０，４０  キャップ本体、２０ａ  上面、２０ｂ  下面、２１ａ，２１ｂ  係止部材、２２，４４，５４，６４ａ，６４ｂ，６４ｃ，７４ａ，７４ｂ  突起部、２３ａ，２３ｂ  爪。
【図１】
0005530412.tif 000002
【図２】
0005530412.tif 000003
【図３】
0005530412.tif 000004
【図４】
0005530412.tif 000005
【図５】
0005530412.tif 000006
【図６】
0005530412.tif 000007
【図７】
0005530412.tif 000008
【図８】
0005530412.tif 000009
【図９】
0005530412.tif 000010
【図１０】
0005530412.tif 000011
【図１１】
0005530412.tif 000012
【図１２】
0005530412.tif 000013
【図１３】
0005530412.tif 000014
【図１４】
0005530412.tif 000015
【図１５】
0005530412.tif 000016
【図１６】
0005530412.tif 000017
【図１７】
0005530412.tif 000018
【図１８】
0005530412.tif 000019
【図１９】
0005530412.tif 000020
【図２０】
0005530412.tif 000021
【図２１】
0005530412.tif 000022
【図２２】
0005530412.tif 000023
【図２３】
0005530412.tif 000024
【図２４】
0005530412.tif 000025
【図２５】
0005530412.tif 000026
【図２６】
0005530412.tif 000027
【図２７】
0005530412.tif 000028
【図２８】
0005530412.tif 000029
【図２９】
0005530412.tif 000030
【図３０】
0005530412.tif 000031
【図３１】
0005530412.tif 000032
【図３２】
0005530412.tif 000033